(57)【特許請求の範囲】
【請求項１】
送風用のファンを三相交流モータによりベルトおよびプーリを介してベルト駆動している空気調和機において、
前記三相交流モータに対する電源回路に設けられている電流値検出手段と、
前記空気調和機据付け後の試運転時に、前記電流値検出手段により検出された電流値を記憶する記憶手段と、
前記試運転後の通常運転時に、前記電流値検出手段により検出された電流値と、前記記憶手段に記憶されている記憶値とを比較して前記ベルトの滑りおよびベルト切れを検知するベルト滑り・切れ検知手段とを備え、
前記ベルト滑り・切れ検知手段は、予め設定されているベルト張力とモータ電流との特性から、前記記憶手段に記憶されている記憶値に対して前記電流値検出手段により検出した電流値が設定値まで低下したことを以って、前記ベルトの滑りおよびベルト切れが検知可能とされていることを特徴とする空気調和機。
【請求項２】
前記ベルト滑り・切れ検知手段により前記ベルトの滑りおよびベルト切れが検知されたとき、それを警告表示する警報手段を備えていることを特徴とする請求項１に記載の空気調和機。
【請求項３】
前記ベルト滑り・切れ検知手段により前記ベルト切れが検知されたとき、前記三相交流モータに対する電源回路を遮断するとともに、前記空気調和機の運転を停止するエアコン制御部を備えていることを特徴とする請求項１または２に記載の空気調和機。
【発明の詳細な説明】
【技術分野】
【０００１】
本発明は、送風用のファンを三相交流モータによりベルトおよびプーリを介してベルト駆動する空気調和機に関するものである。
【背景技術】
【０００２】
工場や各種施設、店舗等の温調に用いられる空気調和機として、空気調和機の吹出し口にダクトを接続し、該ダクトを介して温調風を被空調エリアに送風するようにした設備用空気調和機と称されているものがある。一般的な空気調和機においては、室内空気を吸い込み、熱交換により温調された空気を室内に吹出すための送風用ファンをモータでダイレクトに駆動している。これに対して、設備用空気調和機においては、送風用ファンの回転軸に設けられたプーリと駆動用モータとの間をファンベルトで連結し、モータの駆動力をファンベルトおよびプーリを介してファンに伝達するように構成している（例えば、特許文献１参照）。
【０００３】
その理由は、設備用空気調和機では、設置する場所および環境等により要求される風量と静圧が変動するためである。つまり、設備用空気調和機は、設置する場所により接続されるダクトの長さが異なり、それに伴いダクトにおける圧損が変化する。このため、ダクトにおける圧損の変化に対応して、例えば圧損が大きな場合には送り出す温調風の静圧を増大させる必要がある。また、設備用空気調和機は、設置する場所の環境により要求される温調風の流量が変わるため、ファン回転数を変化させて温調風の流量を確保する必要がある。設備用空気調和機では、これらの要求に対してファンをベルト駆動方式とし、プーリの径（プーリ比）を変えることにより対応している。
【０００４】
ベルト駆動方式とした設備用空気調和機においては、ファンを駆動する三相交流モータを保護するため、一般に過電流継電器（ＯＣＲ）を設け、過電流を保護するようにしているが、このようなＯＣＲによる保護では、電流値が小さくなるような異常を検知することが困難であり、ファンベルトの摩耗、伸びによる滑りや切断は検知できない。また、三相交流モータでは、負荷が変わっても回転数が略一定のため、回転数を検出して保護制御することも困難である。
【０００５】
一方、ファンベルトが切れると、ファンが停止し、モータが回転していても、いずれ低圧異常等により冷媒回路保護機能が働き空気調和機の運転は停止されるが、切れたベルトにより周辺の機器類が損傷されることがある。このため、例えば５０００時間等、一定の運転時間毎に定期的にベルトの点検・メンテナンスを行うことを奨励しているが、手間がかかるため、運転時間を把握したとしても、ユーザが必ずベルトを交換するとは限らないという問題があった。また、定期的にベルトを交換したとしても、それが使用限界寿命に達しているとは限らず、同じベルトでも使用状況や環境等により限界寿命が異なり、なるべく限界寿命近くまで使用することが好ましいが、その判別は困難であった。
【０００６】
そこで、ベルトの使用時間を積算し、使用時間の積算値が予め規定された規定値に到達したときに、ベルトの交換が必要なことを示す情報を外部に出力するベルト寿命管理制御部を設け、警報してもメンテナンスがされない場合には、強制的に運転を停止し、メンテナンスを促すようにしたものが特許文献２に提示されている。また、三相交流モータでファンを直結駆動している空気調和機において、通風抵抗の増大等による風量の減少をモータの電源回路に設けられている電流値検出手段により電流値の上昇として検知し、通風抵抗を除去するようにしたものが特許文献３に提示されている。
【先行技術文献】
【特許文献】
【０００７】
【特許文献１】特開２００６−１０１７７号公報
【特許文献２】特開２００９−２０４１９４号公報
【特許文献３】特開２００３−２６９７７２号公報
【発明の概要】
【発明が解決しようとする課題】
【０００８】
しかしながら、特許文献２のものは、基本的に運転時間の積算値に基づいてベルトの交換が必要か否かを判断しているため、それ以前にベルトが異常摩耗したり、伸びたりして切断するような事態には対応できないという課題がある。また、特許文献３に示されるように、三相交流モータに対する負荷電流を電流値検出手段で検知し、その電流値に基づいて異常の有無を判定することは可能であるが、ファンをベルト駆動する設備用空気調和機のように、設置する場所や使用環境等に応じてプーリ比を変え、風量を調整するようにしているものでは、電流値検出手段で検出した電流値を一律の設定値と比較しても、的確に異常を判定することは困難であり、そのまま適用することはできなかった。
【０００９】
本発明は、このような事情に鑑みてなされたものであって、送風用のファンを三相交流モータでベルト、プーリを介して駆動する空気調和機において、プーリ比が変更されてもベルトの滑り・切断を運転時間に関係なく的確に検知することができる空気調和機を提供することを目的とする。
【課題を解決するための手段】
【００１０】
上記した課題を解決するために、本発明の空気調和機は、以下の手段を採用する。
すなわち、本発明にかかる空気調和機は、送風用のファンを三相交流モータによりベルトおよびプーリを介してベルト駆動している空気調和機において、前記三相交流モータに対する電源回路に設けられている電流値検出手段と、前記空気調和機据付け後の試運転時に、前記電流値検出手段により検出された電流値を記憶する記憶手段と、前記試運転後の通常運転時に、前記電流値検出手段により検出された電流値と、前記記憶手段に記憶されている記憶値とを比較して前記ベルトの滑りおよびベルト切れを検知するベルト滑り・切れ検知手段とを備え、前記ベルト滑り・切れ検知手段は、予め設定されているベルト張力とモータ電流との特性から、前記記憶手段に記憶されている記憶値に対して前記電流値検出手段により検出した電流値が設定値まで低下したことを以って、前記ベルトの滑りおよびベルト切れが検知可能とされていることを特徴とする。
【００１１】
本発明によれば、三相交流モータに対する電流値検出手段と、空気調和機据付け後の試運転時に、電流値検出手段により検出された電流値を記憶する記憶手段と、試運転後の通常運転時に、電流値検出手段により検出された電流値と、記憶手段に記憶されている記憶値とを比較してベルトの滑りおよびベルト切れを検知するベルト滑り・切れ検知手段とを備え、前記ベルト滑り・切れ検知手段が、予め設定されているベルト張力とモータ電流との特性から、記憶手段に記憶されている記憶値に対して電流値検出手段により検出した電流値が設定値まで低下したことを以って、ベルトの滑りおよびベルト切れが検知可能とされているため、試運転時に、正常な状態で運転されたときの電流値を記憶手段に記憶しておき、通常運転時に入ってから、ベルトの磨耗、伸びによる滑りやベルト切れ等により電流値が小さくなるような異常が発生した場合、そのときの電流値を電流値検出手段により検出し、予め設定されているベルト張力とモータ電流との特性から、電流値検出手段で検出した電流値が記憶手段に記憶されている記憶値に対して設定値以下まで低下したことを以って、ベルト滑り・切れ検知手段によりベルトの滑りまたはベルト切れを検知することができる。つまり、運転中にベルトが摩耗あるいは伸びることによって三相交流モータに対する電流値が低下し、それが試運転時に設定されたベルト張力１００％の電流値（記憶値）に対して、例えばベルト張力が６０％に相当する電流値まで低下したことが検知されると、ベルトの摩耗、伸びによる滑りを警告することができ、また、ベルト張力がベルト切れに相当する電流値まで低下したことが検知されると、ベルト切れを警告することができる。従って、過電流だけでなく、ベルトの異常磨耗、伸びによる滑りやベルト切れを検知し、そのベルトの摩耗や伸びから比較的高精度にベルトの寿命を判定してベルトの交換を促すことができ、事前のベルト交換によりベルト切れに至る事態を回避することができるとともに、ベルトを使用限界寿命近くまで使用することが可能となる。また、ベルトが切れた場合でも、それを検知してファンを駆動する三相交流モータおよび空気調和機を冷媒回路側保護機能が動作する前に停止することができる。更に、設置する場所および使用環境により運転点が変わる空気調和機においても、試運転時にセットした電流値に基づいて、ベルトの磨耗、伸びによる滑りやベルト切れを検知することができ、プーリ比が異なる個々の空気調和機において、的確にベルトの滑りや切れを検知することが可能となる。
【００１２】
さらに、本発明の空気調和機は、上記の空気調和機において、前記ベルト滑り・切れ検知手段により前記ベルトの滑りおよびベルト切れが検知されたとき、それを警告表示する警報手段を備えていることを特徴とする。
【００１３】
本発明によれば、ベルト滑り・切れ検知手段によりベルトの滑りおよびベルト切れが検知されたとき、それを警告表示する警報手段を備えているため、警報手段による警告表示によって、ベルトの磨耗、伸び等をベルト切れに至る前に前もって把握することが可能となるとともに、ベルト切れが発生して空気調和機の機能が停止した場合、その停止原因がベルト切れであることを簡単に認識することが可能となる。従って、メンテナンス時期の適切化とメンテナンスの容易化を図り、空気調和機を安全にかつ安定的に運転することができる。
【００１４】
さらに、本発明の空気調和機は、上述のいずれかの空気調和機において、前記ベルト滑り・切れ検知手段により前記ベルト切れが検知されたとき、前記三相交流モータに対する電源回路を遮断するとともに、前記空気調和機の運転を停止するエアコン制御部を備えていることを特徴とする。
【００１５】
本発明によれば、ベルト滑り・切れ検知手段によりベルト切れが検知されたとき、三相交流モータに対する電源回路を遮断するとともに、空気調和機の運転を停止するエアコン制御部を備えているため、ベルト切れが発生したとき、それをベルト滑り・切れ検知手段で検知し、エアコン制御部を介して三相交流モータの電源回路を遮断することにより三相交流モータを停止するとともに、空気調和機を停止することができる。従って、ベルト切れしても三相交流モータが回転し続ける事態を回避することができるとともに、空気調和機を冷媒回路保護機能が動作する前に停止することが可能となり、保護機能を強化することができる。
【発明の効果】
【００１６】
本発明によると、試運転時に、正常な状態で運転されたときの電流値を記憶手段に記憶しておき、通常運転時に入ってから、ベルトの磨耗、伸びによる滑りやベルト切れ等により電流値が小さくなるような異常が発生した場合、そのときの電流値を電流値検出手段により検出し、予め設定されているベルト張力とモータ電流との特性から、電流値検出手段で検出した電流値が記憶手段に記憶されている記憶値に対して設定値以下まで低下したことを以って、ベルト滑り・切れ検知手段によりベルトの滑りまたはベルト切れを検知することができるため、過電流だけでなく、ベルトの異常磨耗、伸びによる滑りやベルト切れを検知し、そのベルトの摩耗や伸びから比較的高精度にベルトの寿命を判定してベルトの交換を促すことができ、事前のベルト交換によりベルト切れに至る事態を回避することができるとともに、ベルトを使用限界寿命近くまで使用することが可能となる。また、ベルトが切れた場合でも、それを検知してファンを駆動する三相交流モータおよび空気調和機を冷媒回路側の保護機能が動作する前に停止することができる。更に、設置する場所および使用環境により運転点が変わる設備用の空気調和機においても、試運転時にセットした電流値に基づいて、ベルトの磨耗、伸びによる滑りやベルト切れを検知することができ、プーリ比が異なる個々の空気調和機において、的確にベルトの滑りや切れを検知することができる。
【図面の簡単な説明】
【００１７】
【図１】本発明の一実施形態に係る空気調和機の外観斜視図である。
【図２】図１に示す空気調和機の前面および右側面パネルを取り外した内部構造を示す斜視図である。
【図３】図１に示す空気調和機に組み込まれる送風用ファンとそれを駆動するファンモータの組み立て図である。
【図４】図３に示すファンモータに対する電気系統図である。
【図５】ファンモータへの電流値を検出し、該モータからファンに動力を伝達するベルトの滑り、切れを検知するための制御フローチャートである。
【図６】ベルトの滑り、切れの検知に用いるベルト張力とモータ電流値との特性図である。
【図７】三相交流モータの特性曲線図である。
【発明を実施するための形態】
【００１８】
以下に、本発明にかかる一実施形態について、図１ないし図７を参照して説明する。
図１には、本発明の一実施形態に係る設備用空気調和機の外観斜視図が示され、図２には、その内部構造を示す斜視図が示され、図３には、その送風用ファンとファンモータの組み立て図が示されている。
送風用ファンを三相交流モータによりベルトおよびプーリを介してベルト駆動するように構成されている設備用空気調和機（空気調和機）１は、縦に長い直方体形状とされたキャビネット２を備えており、その前面には、室内空気を吸込むスリット状の空気吸込み口３が設けられ、上面には、被空調エリアに温調風を送るダクト（図示省略）が接続可能とされた吹出し口４が設けられている。なお、空気吸込み口３は、キャビネット２の後面に設けられる場合もある。
【００１９】
キャビネット２の内部には、上下方向の中央部位に室内熱交換器５が後方下向きに傾斜配設されており、空気吸込み口３から吸込まれた室内空気が下方から上方に向け流通可能とされている。この室内熱交換器５の下方部位には、ドレンパン６が配設され、冷房時に室内熱交換器５から流下するドレン水を受け止め、ドレンホースを介して外部に排出できるように構成されている。また、ドレンパン６の下方空間には、コントロールボックス７が収納されている。
【００２０】
室内熱交換器５の上方部位には、吹出し口４が設けられているキャビネット２の天板２Ａの内面に、送風用ファン８およびファンモータ９が懸垂状態で設置されている。送風用ファン８は、渦巻き形状のファンケーシング８Ａの内部に羽根車８Ｂが回転自在に支持されているシロッコファンによって構成されており、ファンケーシング８Ａを介して天板２Ａに固定設置されている。この送風用ファン８は、２個の吹出し口４に対応するように２台並設されており、２台の送風用ファン８を貫通する１本の回転軸１０により駆動可能とされている。
【００２１】
また、ファンモータ９は、三相交流モータとされており、この三相交流モータ（ファンモータ）９は、モータブラケット１１を介して天板２Ａに設置されている。三相交流モータ９のモータ軸および回転軸１０の軸端には、それぞれプーリ１２，１３が設けられ、該一対のプーリ１２，１３間にベルト１４が架けられることにより、送風用ファン８が三相交流モータ９によりベルト駆動されるように構成されている。
【００２２】
モータブラケット１１は、天板２Ａ側に固定される固定ブラケット１１Ａと、該固定ブラケット１１Ａに一端側が回動可能に結合された回動ブラケット１１Ｂとから構成されており、三相交流モータ９は、回動ブラケット１１Ｂ側に固定設置されている。回動ブラケット１１Ｂは、他端側が固定ブラケット１１Ａに設けられている２本のテンションボルト１１Ｃの他端側に調整ナット１１Ｄを介して連結されており、固定ブラケット１１Ａに対する取り付け角度をテンションボルト１１Ｃおよび調整ナット１１Ｄで可変することによって、ベルト１４の張力が調整可能に構成されている。
【００２３】
三相交流モータ９には、図４に示されるように、三相交流電源１５から後述するリレー１６の電磁開閉器１６Ａを介して給電されるようになっている。この電源回路には、三相交流モータ９に対して供給される電流値を検出するＣＴセンサ（Ｃｕｒｒｅｎｔ  Ｔｒａｎｓｆｏｒｍｅｒ）等の電流値検出手段１７が設けられており、該電流値検出手段１７の検出値は、ＣＴ基板１８に入力されるようになっている。
【００２４】
ＣＴ基板１８には、設置する場所および環境等に合わせて送風用ファン８の風量や静圧が調整される設備用空気調和機１を据付け後の試運転時において、電流値検出手段１７により検出された電流値を記憶する記憶手段１９と、該試運転後の通常運転時において、電流値検出手段１７により検出された電流値と、記憶手段１９の記憶値とを比較し、ベルト１４の滑りおよびベルト１４の切断を検知するベルト滑り・切れ検知手段２０とが設けられている。このベルト滑り・切れ検知手段２０には、図６に示されるようなベルト張力／モータ電流特性が設定されており、この特性から記憶手段１９に記憶されている記憶値に対し、電流値検出手段１７で検出された電流値が設定値まで低下したことを以って、ベルト１４の滑りおよびベルト切れが検知されるようになっている。
【００２５】
ＣＴ基板１８は、ベルト滑り・切れ検知手段２０がベルト１４の滑りおよびベルト切れを検知したとき、その検知信号をエアコン制御基板（エアコン制御部）２１に出力するように構成されている。また、エアコン制御基板（エアコン制御部）２１は、ＣＴ基板１８から入力される信号に基づいて、空気調和機１の運転・停止およびリレー１６の電磁開閉器１６Ａを介して三相交流モータ９の運転・停止を制御するとともに、警報手段２２に対してベルト１４の滑り、切れ等を警告表示する機能を担っている。
【００２６】
上記ＣＴ基板１８およびエアコン制御基板（エアコン制御部）２１の機能を、図５に示されるフローチャートに基づいて、更に詳しく説明する。
設備用空気調和機１は、現地において、据付け位置の場所および環境等に合せ、送風用ファン８により適切な風量、静圧等が得られるように、プーリ１２，１３が所定のプーリ比とされた状態で設置される（ステップＳ１）。空気調和機１の据付けが完了すると、プーリ１２，１３に架けられたベルト１４の張力が、２本のテンションボルト１１Ｃおよび調整ナット１１Ｄによって所定の張力に調整される（ステップＳ２）。
【００２７】
この状態で送風用ファン８が、三相交流モータ９によりプーリ１２，１３およびベルト１４を介して駆動され、試運転される（ステップＳ３）。送風用ファン８の運転開始から所定時間（例えば、１０秒）が経過し、運転が安定したところで、三相交流モータ９に対する電流値Ａが電流値検出手段１７によって検出され、記憶手段１９に記憶される（ステップＳ４）。この電流値Ａは、図６に示されるように、試運転前のステップＳ２において、予め調整されたベルト１４の張力をベルト張力１００％としたときの電流値となる。
【００２８】
本実施形態は、上記の如く、ベルト張力１００％としたときの電流値Ａを記憶しておくことにより、通常運転の経過に伴うベルト１４の摩耗、伸びによる張力の低下割合を電流値にて検知し、ベルト１４の滑り、切れを判定しようとするものである。三相交流モータ９は、図７に示されるように、負荷変動に対して一次電流（Ａ）が漸次増減する特性曲線を有している。この特性を利用することによって、ベルト１４の摩耗あるいは伸びによる滑りおよび切断を、ベルト張力の低下、すなわち負荷の低下としてモータ電流から検知することができる。
【００２９】
図５中のステップＳ５において、空気調和機１が通常運転を開始すると、ステップＳ６では、所定時間（例えば、１０秒）経過後から、三相交流モータ（ファンモータ）９の電流値が電流値検出手段（ＣＴセンサ）１７により検知開始される。そして、ステップＳ７では、ベルト滑り・切れ検知手段２０により電流値検出手段１７の検出値が、連続５秒間以上設定値Ｂ以下か否かが監視される。この設定値Ｂは、図６に示されるように、ベルト張力１００％に対して、ベルト張力が６０％に低下した場合を目安に、それを滑り警告を出す設定値としたときの電流値に相当する値である。
【００３０】
ステップＳ７での判定結果が「ＮＯ」の場合、ステップＳ８に移行し、そのまま運転を継続してステップＳ６に戻り、「ＹＥＳ」の場合は、ステップＳ９に移行される。ステップＳ９では、電流値検出手段１７による検出値が、連続５秒間以上設定値Ｃ以下か否かが監視される。この設定値Ｃは、図６に示されるように、ベルト張力１００％に対して、ベルト張力が２０％以下に低下した場合を目安に、それをベルト切れと判定するための設定値としたときの電流値に相当する値である。
【００３１】
ステップＳ９で「ＮＯ」と判定された場合、ベルト１４の張力が据付け時のベルト張力１００％に対して、６０％に低下する程度までベルト１４が摩耗または伸びており、滑りが発生していると判定し、その判定結果をエアコン制御基板（エアコン制御部）２１に出力してステップＳ１０に移行する。エアコン制御基板（エアコン制御部）２１は、警報手段２２を介してベルト２２の滑り情報を警告表示し、ベルト１４の点検・メンテナンスを促した後、ステップＳ８を経て運転を継続し、ステップＳ６に戻るようになっている。
【００３２】
ステップＳ９で「ＹＥＳ」と判定された場合、ベルト切れと判定し、それをエアコン制御基板（エアコン制御部）２１に出力してステップＳ１１に移行する。エアコン制御基板（エアコン制御部）２１は、ベルト切れ信号の入力により、警報手段２２を介してベルト１４の切断情報を警告表示するとともに、空気調和機１および送風用ファン８を停止状態に制御する。なお、送風用ファン８は、リレー１６によりその電磁開閉器１６Ａが開とされることによって停止状態とされることとなる。
【００３３】
以上に説明の構成により、本実施形態によれば、以下の作用効果を奏する。
設備用空気調和機１は、据付け位置の場所および環境等に合せ、送風用ファン８により適切な風量、静圧が得られるようにプーリ１２，１３のプーリ比が設定されている。この送風用ファン８は、該プーリ１２，１３およびベルト１４を介して三相交流モータ９によりベルト駆動され、室内空気を吸込み、室内熱交換器５で温調した後、その温調風を吹出し口４に接続されているダクトを介して被空調エリアに送風し、吹出すことによって該被空調エリアの空調に供している。
【００３４】
送風用ファン８をベルト駆動する三相交流モータ９の電源回路には、その電流値を検出する電流値検出手段（ＣＴセンサ）１７が設けられており、通常の運転中、その検出値がＣＴ基板１８に入力されている。ＣＴ基板１８に設けられている記憶手段１９には、空気調和機１の据付け後の試運転時に、正常な状態で運転されたときの電流値Ａが記憶されており、この記憶値Ａと電流値検出手段１７により検出された検出値とがベルト滑り・切れ検知手段２０において比較されるようになっている。なお、記憶手段１９に記憶されている電流値Ａは、試運転前に張力調整されたベルト１４の張力を１００％としたときの電流値である。
【００３５】
通常運転の経過により、ベルト１４に摩耗あるいは伸びが生じると、ベルト１４の張力が漸次低下し、それに伴い三相交流モータ９の負荷も低下する。三相交流モータ９は、図７に示されるように、負荷の低下に伴って一次電流（Ａ）が漸次低下する特性を有しているため、ベルト張力の低下によりモータ電流が漸次低下されることになる。従って、このベルト張力／モータ電流特性に基づいて、電流値検出手段１７により検出された電流値からベルト１４の張力を判定し、ベルト１４の滑り状態や切断を検知することができる。
【００３６】
ここでは、図６に示されるように、試運転時のベルト張力を１００％とし、その時のモータ電流値をＡとしたとき、電流値検出手段１７により検出された電流値が設定値Ｂまで低下したことを以って、試運転時のベルト張力１００％に対してベルト張力が６０％まで低下していることを検知し、また、電流値が設定値Ｃまで低下したことを以って、試運転時のベルト張力１００％に対してベルト張力が２０％まで低下していることを検知するようにしている。
【００３７】
本実施形態では、ベルト張力の６０％までの低下を滑り警告設定値と定めており、ベルト滑り・切れ検知手段２０がモータ電流の設定値Ｂまでの低下を検知したとき、エアコン制御基板（エアコン制御部）２１に警告信号を出力する。これにより、警報手段２２にベルト１４の滑り情報が警告表示され、ベルト１４の点検・メンテナンスが促されることとなる。また、ベルト張力の２０％以下までの低下をベルト切れと設定しており、ベルト滑り・切れ検知手段２０がモータ電流の設定値Ｃ以下までの低下を検知したとき、エアコン制御基板（エアコン制御部）２１にベルト切れ信号を出力する。これにより、警報手段２２にベルト１４の切断情報が表示されるとともに、空気調和機１および送風用ファン８が停止状態とされる。
【００３８】
従って、本実施形態によれば、過電流だけでなく、ベルト１４の異常磨耗、伸びによる滑りやベルト１４の切断を検知することが可能となり、事前のベルト交換によりベルト切れに至る事態を回避することができるとともに、ベルト１４が切れた場合でも、それを検知して送風用ファン８を駆動する三相交流モータ９および空気調和機１を冷媒回路側保護機能が動作する前に停止することができる。
【００３９】
また、設置する場所および使用環境により運転点が変わる設備用の空気調和機１においても、試運転時にセットした電流値Ａに基づいて、ベルト１４の磨耗、伸びによる滑りやベルト１４の切断を検知することができ、プーリ比が異なる個々の設備用空気調和機１において、的確にベルト１４の滑りや切れを検知することが可能となる。
【００４０】
また、運転中にベルト１４の摩耗、伸びにより三相交流モータ９に対する電流値が低下し、それが試運転時に設定されたベルト張力１００％の電流値Ａに対して具体的に、例えばベルト張力が６０％に相当する電流値Ｂまで低下したことが検知されると、ベルト１４の摩耗、伸びによる滑りを警告することができ、また、ベルト張力がベルト切れに相当する電流値Ｃまで低下したことが検知されると、ベルト切れを警告することができる。このため、ベルト１４の摩耗や伸び情報から比較的高精度に数値化してベルト１４の寿命を判定し、ベルトの交換を促すことができる。従って、ベルト１４を使用限界寿命近くまで使用することが可能となる。
【００４１】
また、ベルト１４の磨耗、伸び等をベルト切れに至る前に前もって把握することが可能となるとともに、ベルト切れが発生して空気調和機１の機能が停止した場合、その停止原因がベルト切れであることを簡単に認識することが可能となる。このため、メンテナンス時期の適切化とメンテナンスの容易化を図り、設備用空気調和機１を安全にかつ安定的に運転することができる。
【００４２】
さらに、ベルト切れが発生したとき、それをベルト滑り・切れ検知手段２０によって検知し、エアコン制御基板（エアコン制御部）２１を介して三相交流モータ９の電源回路を遮断することにより三相交流モータ９の運転を停止することができるとともに、空気調和機１の運転を停止することができる。このため、ベルト切れしても三相交流モータ９が回転し続ける事態を回避することができるとともに、空気調和機１を冷媒回路側保護機能が動作する前に停止することができ、空気調和機１の保護機能を強化することができる。
【００４３】
なお、本発明は、上記実施形態にかかる発明に限定されるものではなく、その要旨を逸脱しない範囲において、適宜変形が可能である。例えば、上記実施形態においては、記憶手段１９およびベルト滑り・切れ検知手段２０が設けられているＣＴ基板１８をエアコン制御基板２１と別に設けているが、ＣＴ基板１８の機能をエアコン制御基板２１に一体に組み込んだ構成としてもよいことはもちろんである。
【００４４】
また、上記実施形態では、記憶手段１９に対して、試運転時にベルト張力１００％に相当する電流値Ａを自動的に記憶する例について説明したが、この電流値Ａは、手動操作によって記憶させるようにしてもよい。
【００４５】
さらに、上記実施形態では、ベルト張力の６０％までの低下を滑り警告設定値としているが、この値は任意の値に設定することができる。また、この設定値は必ずしも１点である必要はなく、例えば１０％程度毎に段階的に複数点設定し、小刻みにベルト１４の滑り状態、すなわちベルト１４の摩耗、伸び状態を表示するようにしてもよい。
【符号の説明】
【００４６】
１  設備用空気調和機（空気調和機）
８  送風用ファン
９  ファンモータ（三相交流モータ）
１２，１３  プーリ
１４  ベルト
１６  リレー
１６Ａ  リレーの電磁開閉器
１７  電流値検出手段（ＣＴセンサ）
１８  ＣＴ基板
１９  記憶手段
２０  ベルト滑り・切れ検知手段
２１  エアコン制御基板（エアコン制御部）
２２  警報手段
【図１】
0005582799.tif 000002
【図２】
0005582799.tif 000003
【図３】
0005582799.tif 000004
【図４】
0005582799.tif 000005
【図５】
0005582799.tif 000006
【図６】
0005582799.tif 000007
【図７】
0005582799.tif 000008